(57)【特許請求の範囲】
【請求項１】
音源から入力される左チャンネルの音声信号の所定周波数よりも高い周波数成分のみを通過させる第１のハイパスフィルタと、
音源から入力される右チャンネルの音声信号の所定周波数よりも高い周波数成分のみを通過させる第２のハイパスフィルタと、
前記左チャンネルの音声信号と前記右チャンネルの音声信号を足し合わせる音声信号加算器と、
前記音声信号加算器から出力される信号の所定周波数よりも低い周波数成分を増幅するバスブースタと、
前記バスブースタの出力信号を低域用スピーカに出力するための低域用端子と、
前記第１のハイパスフィルタの出力信号と前記バスブースタの出力信号とを足し合わせる左チャンネル用加算器と、
前記第２のハイパスフィルタの出力信号と前記バスブースタの出力信号とを足し合わせる右チャンネル用加算器と、
前記バスブースタと前記左チャンネル用加算器との間に接続された第１のスイッチと、
前記バスブースタと前記右チャンネル用加算器との間に接続された第２のスイッチと、
前記左チャンネル用加算器の出力信号を出力するための左チャンネルヘッドホン用端子及び左チャンネルスピーカ用端子と、
前記右チャンネル用加算器の出力信号を出力するための右チャンネルヘッドホン用端子及び右チャンネルスピーカ用端子と、
を備え、
ヘッドホンにて音声を再生するときには、前記第１のスイッチ及び前記第２のスイッチをオンして、前記左チャンネルヘッドホン用端子及び前記右チャンネルヘッドホン用端子から音声信号を再生し、
スピーカにて音声を再生するときには、前記第１のスイッチ及び前記第２のスイッチをオフして、前記左チャンネルスピーカ用端子、前記右チャンネルスピーカ用端子、及び、前記低域用端子から音声信号を再生することを特徴とする重低音ブースト装置。
【請求項２】
音源から入力される左チャンネルの音声信号の所定周波数よりも高い周波数成分のみを通過させる第１のハイパスフィルタと、
音源から入力される右チャンネルの音声信号の所定周波数よりも高い周波数成分のみを通過させる第２のハイパスフィルタと、
前記左チャンネルの音声信号の所定周波数よりも低い周波数成分を増幅する第１のバスブースタと、
前記右チャンネルの音声信号の所定周波数よりも低い周波数成分を増幅する第２のバスブースタと、
前記第１のバスブースタの出力信号と前記第２のバスブースタの出力信号とを足し合わせて低域信号を出力する低域加算器と、
前記低域加算器の出力信号を低域用スピーカに出力するための低域用端子と、
前記第１のハイパスフィルタの出力信号と前記第１のバスブースタの出力信号とを足し合わせる左チャンネル用加算器と、
前記第２のハイパスフィルタの出力信号と前記第２のバスブースタの出力信号とを足し合わせる右チャンネル用加算器と、
前記第１のバスブースタと前記左チャンネル用加算器との間に接続された第１のスイッチと、
前記第２のバスブースタと前記右チャンネル用加算器との間に接続された第２のスイッチと、
前記左チャンネル用加算器の出力信号を出力するための左チャンネルヘッドホン用端子及び左チャンネルスピーカ用端子と、
前記右チャンネル用加算器の出力信号を出力するための右チャンネルヘッドホン用端子及び右チャンネルスピーカ用端子と、
を備え、
ヘッドホンにて音声を再生するときには、前記第１のスイッチ及び前記第２のスイッチをオンして、前記左チャンネルヘッドホン用端子及び前記右チャンネルヘッドホン用端子から音声信号を再生し、
スピーカにて音声を再生するときには、前記第１のスイッチ及び前記第２のスイッチをオフして、前記左チャンネルスピーカ用端子、前記右チャンネルスピーカ用端子、及び、前記低域用端子から音声信号を再生することを特徴とする重低音ブースト装置。
【発明の詳細な説明】
【０００１】
【発明の属する技術分野】
本発明は、低域が強調された迫力のある音声を実現するための重低音ブースト装置に関するものである。
【０００２】
【従来の技術】
従来の重低音ブースト装置のブロック図を図７に示す。バスブースタ１０１及び２０１は、利得と周波数との関係が、図８に示すように所定の周波数帯域を増幅する特性となっている。
【０００３】
そして、バスブースタ１０１及び２０１は、ヘッドホンでは構造上、低音域の再生音が不足するので、当該重低音ブースト装置が搭載されるシステム内のマイコン等によって、ヘッドホンで音声を再生するときには図８に示す特性に、スピーカで音声を再生するときには図５に示す特性に、それぞれ切り替えられる。
【０００４】
端子ＩＮL、ＩＮRから入力される音源からのステレオ信号の左チャンネル、右チャンネルはそれぞれバスブースタ１０１、２０１を介してハイパスフィルタ１０２、２０２に入力されるとともに、端子ＨL、ＨRに接続される左ヘッドホン、右ヘッドホンによって音声に変換される。
【０００５】
ハイパスフィルタ１０２、２０２は、それぞれ、利得と周波数との関係が図２に示すようになっており、バスブースタ１０１、２０１から出力される信号の遮断周波数（例えば１００[Hz]）ｆCよりも高い周波数成分のみを通過させる。ハイパスフィルタ１０２、２０２から出力される信号は、それぞれ端子ＳL、ＳRに接続される中高域用の左スピーカ、右スピーカによって音声に変換される。
【０００６】
加算器３０１は、端子ＩＮL、ＩＮRにそれぞれ入力される音源からのステレオ信号の左チャンネル、右チャンネルを足し合わせて出力する。バスブースタ３０２は、利得と周波数との関係が図３に示すようになっており、加算器３０１から出力される信号の所定の周波数帯域Ｔを増幅するとともに、他の帯域を減衰させて出力する。バスブースタ３０２から出力される信号は、端子ＳBに接続される低域用のスピーカによって音声に変換される。
【０００７】
以上より、ヘッドホンとスピーカとのどちらで音声を再生するときにも、再生される音声の音源に対する利得と周波数との関係がヘッドホンの場合には図８、スピーカの場合には図４に示すような特性となるので、低音が強調された迫力のある音声を実現することができる。
【０００８】
【発明が解決しようとする課題】
しかしながら、上記従来の重低音ブースト装置では、ヘッドホン出力にはバスブースタ１０１及び２０１、スピーカ出力にはバスブースタ３０２というように、ヘッドホン出力とスピーカ出力とで別々にバスブースタを設けていたため、回路規模が大きくなり、また、コストが高くなるといった問題があった。
【０００９】
そこで、本発明は、回路規模の縮小及び低廉化を実現した重低音ブースト装置を提供することを目的とする。
【００１０】
【課題を解決するための手段】
上記の目的を達成するため、本発明では、音源から入力される音声信号の所定周波数よりも高い周波数成分のみを通過させるハイパスフィルタと、音源から入力される音声信号の所定周波数よりも低い周波数成分を増幅するバスブースタと、前記ハイパスフィルタの出力信号と前記バスブースタの出力信号とを足し合わせる加算器と、前記バスブースタと前記加算器との間に接続されたスイッチと、を備えている。
【００１１】
この構成により、前記加算器から出力される信号は、前記スイッチがＯＮであるときには、音源からの信号の低域（前記所定周波数よりも低い周波数帯域）を増幅するとともに、高域（前記所定周波数よりも高い周波数帯域）を減衰させた信号と、音源からの信号の低域を減衰させた信号とが足し合わされた信号となり（図４）、一方、前記スイッチがＯＦＦであるときには、音源からの信号の低域を増幅するとともに、高域を減衰させた信号となる（図２）。
【００１２】
したがって、前記加算器の出力側に接続されるヘッドホンで音声を再生するときには、前記スイッチをＯＮにし、一方、前記加算器の出力側に接続される中高域用のスピーカと、前記バスブースタの出力側に接続される低域用のスピーカとで音声を再生するときには、前記スイッチをＯＦＦにすれば、ヘッドホン出力とスピーカ出力とでバスブースタを共通化した上で、ヘッドホンとスピーカとのどちらで音声を再生する場合でも低音が強調された迫力のある音声を実現することができる。
【００１３】
【発明の実施の形態】
以下に、本発明の実施形態を図面を参照しながら説明する。図１は本発明の実施形態である重低音ブースト装置のブロック図である。ハイパスフィルタ１１、２１は、それぞれ、利得と周波数との関係が図２に示すようになっており、端子ＩＮL、ＩＮRから入力される音源からのステレオ信号の左チャンネル、右チャンネルの遮断周波数（例えば１００[Hz]）ｆCよりも高い周波数成分のみを通過させる。ハイパスフィルタ１１、２１から出力される信号は、それぞれ加算器１２、２２に入力される。
【００１４】
加算器３１は、端子ＩＮL、ＩＮRにそれぞれ入力される音源からのステレオ信号の左チャンネル、右チャンネルを足し合わせて出力する。バスブースタ３２は、利得と周波数との関係が図３に示すようになっており、加算器３１から出力される信号の所定の周波数帯域Ｔを増幅するとともに、他の帯域を減衰させて出力する。バスブースタ３２から出力される信号は、スイッチ１３、２３を介してそれぞれ加算器１２、２２に入力される。また、バスブースタ３２の出力側には低域用のスピーカを接続するための端子ＳBが接続されている。
【００１５】
加算器１２の出力側には中高域用の左スピーカを接続するための端子ＳL、及び、左ヘッドホンを接続するための端子ＨLが、加算器２２の出力側には中高域用の右スピーカを接続するための端子ＳR、及び、右ヘッドホンを接続するための端子ＨRが、それぞれ接続されている。
【００１６】
そして、図２に示したハイパスフィルタ１１、１２のそれぞれの特性と、図３に示したバスブースタ３２の特性とを重ね合わせた特性が、図４に示す特性にほぼ一致するように、各特性が設定されている。
【００１７】
以上の構成より、加算器１２、２２から出力される信号は、それぞれスイッチ１３、２３がＯＮであるときには、ハイパスフィルタ１１、２１から出力される信号とバスブースタ３２から出力される信号とが足し合わされた信号になり、一方、前記スイッチがＯＦＦであるときには、ハイパスフィルタ１１、２１から出力される信号になる。
【００１８】
したがって、当該重低音ブースト装置が搭載されるシステム内のマイコン等によって、端子ＨL及びＨRに接続されるヘッドホンで音声を再生するときにはスイッチ１３及び２３をＯＮにし、一方、端子ＳL及びＳRに接続される中域用のスピーカ、並びに、端子ＳBに接続される低域用のスピーカで音声を再生するときには、スイッチ１３及び２３をＯＦＦにするようにすれば、ヘッドホンとスピーカとのどちらで音声を再生するときにも、再生される音声の音源に対する利得と周波数との関係が聴感上は図４に示すような特性となるので、低音が強調された迫力のある音声を実現することができる。そして、ヘッドホン出力とスピーカ出力とでバスブースタ３２を共用しているのでので、回路規模の縮小及び低廉化を実現することができる。
【００１９】
また、上記実施形態において、バスブースタ３２への入力信号のレベルを調整可能とする場合には、ハイパスフィルタ１１及び２１を利得と周波数との関係が図５に示すようにフラットな特性（周波数に関係なく利得が０[dB]）を有するバッファ回路とに切り替えることができるような構成にしておき、バスブースタ３２への入力信号がミュートされ、かつ、ヘッドホンで音声を再生する状態では、ハイパスフィルタ１１及び２１を介することなく図５に示す特性に切り替えるようにしておくことが望ましい。これにより、上記の状態になっても、ヘッドホンから再生される音声が低域が全くない違和感のあるものになってしまうという不具合を防止することができる。
【００２０】
一方、スピーカで音声を再生する場合には、バスブースタ３２からの出力される信号の低域のレベルが音源からの信号のレベルに維持される程度にまでしか、バスブースタ３２への入力信号のレベルを小さくすることができないような構成にしておくことによって、バスブースタ３２への入力信号のレベルに応じてハイパスフィルタ１１及び２１の特性を切り替えることなく、再生音の低域が全くなるという不具合を防止するようにしてもよい。
【００２１】
また、図６に示すように、左チャンネルと右チャンネルとで別個にバスブースタ１４、２４（図１のバスブースタ３２と同じもの）を設け、各バスブースタ１４、２４から出力される信号を加算器３３で足し合わせて低域用のスピーカに出力する構成としてもよい。この構成により、ヘッドホンからは、左右のチャンネルを合成した信号の低域ではなく、対応するチャンネルの低域を強調した音声が再生されるので、音源に忠実な迫力のある音声を再現することができる。
【００２２】
尚、音源からの信号がモノラル信号に限られる場合には、図１において、ハイパスフィルタ１１（または２１）、加算器１２（または２２）、スイッチ１３（または２３）、加算器３１を省略した構成にすればよい。
【００２３】
【発明の効果】
以上説明したように、本発明の重低音ブースト装置によれば、１つのバスブースタをスピーカ出力とヘッドホン出力とに共用しているので、回路規模の縮小及び低廉化を実現することができる。
【図面の簡単な説明】
【図１】  本発明の実施形態である重低音ブースト装置のブロック図である。
【図２】  図１におけるハイパスフィルタの利得と周波数との関係を示す図である。
【図３】  図１におけるバスブースタの利得と周波数との関係を示す図である。
【図４】  重低音ブースト装置を用いた場合に再生される音声の音源に対する利得と周波数との関係を示す図である。
【図５】  図１におけるハイパスフィルタがもつ利得と周波数との別の関係を示す図である。
【図６】  本発明の別の実施形態である重低音ブースト装置のブロック図である。
【図７】  従来の重低音ブースト装置のブロック図である。
【図８】  従来の重低音ブースト装置におけるバスブースタの利得と周波数との関係を示す図である。
【符号の説明】
１１    ハイパスフィルタ
１２    加算器
１３    スイッチ
１４    バスブースタ
２１    ハイパスフィルタ
２２    加算器
２３    スイッチ
２４    バスブースタ
３１    加算器
３２    バスブースタ
３３    加算器
【図１】
0004326135.tif 000002
【図２】
0004326135.tif 000003
【図３】
0004326135.tif 000004
【図４】
0004326135.tif 000005
【図５】
0004326135.tif 000006
【図６】
0004326135.tif 000007
【図７】
0004326135.tif 000008
【図８】
0004326135.tif 000009